(57)【要約】【課題】簡易な構成であって、ＰＷＭ調光信号のデューティに応じた冷陰極放電ランプの調光および消灯が良好に行える放電ランプ点灯装置およびこの放電ランプ点灯装置を配設する照明器具を提供する。【解決手段】放電ランプ点灯装置１は、冷陰極放電ランプ５の点灯を検出する点灯検出回路６と、ＰＷＭ調光信号のオンオフ信号に応じてインバータ回路４の自励発振を間欠動作させるとともに、前記自励発振してからＰＷＭ調光信号の周期よりも長い所定時間の経過前に点灯検出回路６が冷陰極放電ランプ５の点灯を検出していないときに前記自励発振を停止させるように構成された点灯制御回路７とを具備している。【選択図】図１
2007066628.tif 000002
【特許請求の範囲】
【請求項１】
直流電源と；
直流電源の直流電圧が入力されることにより自励発振し、前記直流電圧を高周波電圧に変換して出力するインバータ回路と；
前記高周波電圧により点灯される冷陰極放電ランプと；
冷陰極放電ランプの点灯を検出する点灯検出回路と；
ＰＷＭ調光信号のオンオフ信号に応じてインバータ回路の自励発振を間欠動作させるとともに、前記自励発振してからＰＷＭ調光信号の周期よりも長い所定時間の経過前に点灯検出回路が冷陰極放電ランプの点灯を検出していないときに前記自励発振を停止させるように構成された点灯制御回路と；
を具備していることを特徴とする放電ランプ点灯装置。
【請求項２】
点灯制御回路は、直流電源の出力間に直列的に接続された抵抗およびコンデンサの時定数回路を有してなり、当該コンデンサが冷陰極放電ランプの不点時に直流電源からの電流により充電され冷陰極放電ランプの点灯時に放電されるとともに、充電開始後のコンデンサの両端間電圧がＰＷＭ調光信号の周期よりも長い所定時間を要して所定電圧となり、インバータ回路が自励発振してからコンデンサの両端間電圧が前記所定電圧以上になったときに前記自励発振を停止させることのできるように構成されていることを特徴とする請求項１記載の放電ランプ点灯装置。
【請求項３】
点灯制御回路は、ＰＷＭ調光信号が冷陰極放電ランプを継続して消灯させる消灯信号であるとき、点灯検出回路の冷陰極放電ランプの不点の検出に基づいてインバータ回路の自励発振を停止させることがリセットされることを特徴とする請求項１または２記載の放電ランプ点灯装置。
【請求項４】
請求項１ないし３いずれか一記載の放電ランプ点灯装置と；
この放電ランプ点灯装置を配設している器具本体と；
を具備していることを特徴とする照明器具。
【発明の詳細な説明】
【技術分野】
【０００１】
本発明は、冷陰極放電ランプを高周波で調光点灯する放電ランプ点灯装置およびこの放電ランプ点灯装置を配設する照明器具に関する。
【背景技術】
【０００２】
冷陰極蛍光ランプは、外径が１０ｍｍ以下に細径化されているので、照明器具を薄形化することができる。また、冷陰極蛍光ランプは、一般の蛍光ランプの平均寿命が１２０００時間であるのに対して例えば５００００時間の平均寿命を有するので、例えば高所など、ランプ交換などのメンテナンス作業に労力や作業時間などを必要とする場所に配設する照明器具に装着することができる。
【０００３】
そして、冷陰極蛍光ランプは、一般の蛍光ランプと同様に、調光点灯されている。例えば、ＰＷＭ調光信号のデューティに応じて駆動回路を間欠動作させることにより、冷陰極蛍光ランプが調光される放電ランプ点灯装置が提案されている（特許文献１参照。）。この放電ランプ点灯装置は、駆動回路により駆動される圧電トランスの出力端子に冷陰極蛍光ランプが接続され、駆動回路に間欠発振制御回路が接続されている。駆動回路は、間欠発振制御回路のデューティ制御信号を受けて、オンデューティ期間中は圧電トランスを駆動し、オフデューティ期間中は、圧電トランスの駆動を停止する。これにより、冷陰極蛍光ランプは、低光束の調光時まで安定した出力が得られるというものである。
【０００４】
また、インバータ回路が圧電セラミックを用いた圧電トランスを備え、インバータ回路の帰還回路内に帰還信号を断続するスイッチング回路を備えて、冷陰極蛍光ランプを調光できる蛍光灯駆動回路が提案されている（特許文献２参照。）。この蛍光灯駆動回路は、パルス幅が変調された制御信号がスイッチング回路のトランジスタのベースに入力され、これによって帰還信号の断続が行われて、冷陰極蛍光ランプの調光が行われる。
【特許文献１】特開２０００−５８２８６号公報（第４頁、第１図）
【特許文献２】特開平９−８２４８５号公報（第４−５頁、第３図）
【発明の開示】
【発明が解決しようとする課題】
【０００５】
特許文献１の放電ランプ点灯装置は、駆動回路の間欠動作の周波数が調光信号発生回路とは別に設けられた間欠発振制御回路により決定される。間欠発振制御回路は、駆動回路を間欠動作させる間欠周期を決定するタイマ回路などの回路構成が形成されるので、放電ランプ点灯装置を大型化させるという欠点を有する。
【０００６】
また、特許文献２の蛍光灯駆動回路は、外部から入力されるＰＷＭ調光信号にしたがって帰還回路を断続させることのできる簡易な構成であるが、ＰＷＭ調光信号の周波数が高い場合に、インバータ回路の動作が帰還回路の断続に追随できなくなって、冷陰極蛍光ランプを完全に消灯できず、または冷陰極蛍光ランプの調光度合いがばらつくおそれがあるという問題がある。
【０００７】
本発明は、簡易な構成であって、ＰＷＭ調光信号のデューティに応じた冷陰極放電ランプの調光および消灯が良好に行える放電ランプ点灯装置およびこの放電ランプ点灯装置を配設する照明器具を提供することを目的とする。
【課題を解決するための手段】
【０００８】
請求項１に記載の放電ランプ点灯装置の発明は、直流電源と；直流電源の直流電圧が入力されることにより自励発振し、前記直流電圧を高周波電圧に変換して出力するインバータ回路と；前記高周波電圧により点灯される冷陰極放電ランプと；冷陰極放電ランプの点灯を検出する点灯検出回路と；ＰＷＭ調光信号のオンオフ信号に応じてインバータ回路の自励発振を間欠動作させるとともに、前記自励発振してからＰＷＭ調光信号の周期よりも長い所定時間の経過前に点灯検出回路が冷陰極放電ランプの点灯を検出していないときに前記自励発振を停止させるように構成された点灯制御回路と；を具備していることを特徴とする。
【０００９】
本発明および以下の各発明において、特に言及しない限り、各構成は以下による。
【００１０】
直流電源は、バッテリ、交流電圧を整流または整流平滑したもの、あるいは、これらにチョッパ回路を接続したものなどのいずれでもよい。
【００１１】
インバータ回路が連続的に自励発振すると、冷陰極放電ランプは全光点灯し、前記自励発振が停止すると、冷陰極放電ランプは消灯する。そして、冷陰極放電ランプは、インバータ回路により高周波点灯されているので、前記自励発振の間欠期間が大きくなるにしたがい、放射される光束が減少して深く調光される。
【００１２】
本発明によれば、ＰＷＭ調光信号のオンオフ信号に応じてインバータ回路の自励発振が間欠動作される。そして、前記自励発振してからＰＷＭ調光信号の周期よりも長い所定時間の経過前に点灯検出回路が冷陰極放電ランプの点灯を検出していないときに前記自励発振を停止させるので、インバータ回路の自励発振は、少なくとも前記所定時間内ではＰＷＭ調光信号により制御される。すなわち、点灯検出回路が冷陰極放電ランプの点灯を検出していないときに、冷陰極放電ランプを点灯させるようにＰＷＭ調光信号を変更したとき、インバータ回路が自励発振しなくすることが防止される。これにより、冷陰極放電ランプは、ＰＷＭ調光信号に応じて調光および消灯される。
【００１３】
請求項２に記載の放電ランプ点灯装置の発明は、請求項１記載の放電ランプ点灯装置において、点灯制御回路は、直流電源の出力間に直列的に接続された抵抗およびコンデンサの時定数回路を有してなり、当該コンデンサが冷陰極放電ランプの不点時に直流電源からの電流により充電され冷陰極放電ランプの点灯時に放電されるとともに、充電開始後のコンデンサの両端間電圧がＰＷＭ調光信号の周期よりも長い所定時間を要して所定電圧となり、インバータ回路が自励発振してからコンデンサの両端間電圧が前記所定電圧以上になったときに前記自励発振を停止させることのできるように構成されていることを特徴とする。
【００１４】
本発明によれば、インバータ回路が自励発振してからコンデンサの両端間電圧が前記所定電圧になるまでに要する時間は、ＰＷＭ調光信号の周期よりも長い所定時間と同一となるので、当該所定時間の計時が抵抗およびコンデンサの時定数回路により行われる。
【００１５】
請求項３に記載の放電ランプ点灯装置の発明は、請求項１または２記載の放電ランプ点灯装置において、点灯制御回路は、ＰＷＭ調光信号が冷陰極放電ランプを継続して消灯させる消灯信号であるとき、点灯検出回路の冷陰極放電ランプの不点の検出に基づいてインバータ回路の自励発振を停止させることがリセットされることを特徴とする。
【００１６】
ＰＷＭ調光信号が消灯信号であるとき、インバータ回路の自励発振が停止されるので、冷陰極放電ランプは消灯し、点灯検出回路は、冷陰極放電ランプの不点を検出する。このとき、点灯制御回路は、点灯検出回路による冷陰極放電ランプの不点の検出に応じて、インバータ回路の自励発振を停止させることをリセットするものである。すなわち、点灯検出回路が冷陰極放電ランプの不点の検出していることによって、インバータ回路の自励発振が再動作しなくなることを防止するものである。
【００１７】
本発明によれば、ＰＷＭ調光信号が冷陰極放電ランプを継続して消灯させる消灯信号であるとき、冷陰極放電ランプの不点に応じてインバータ回路の自励発振を停止させることがリセットされるので、消灯信号から冷陰極放電ランプを点灯させるＰＷＭ調光信号に変更されたときに、インバータ回路が自励発振され、ＰＷＭ調光信号に応じてインバータ回路の自励発振が間欠動作される。
【００１８】
請求項４に記載の照明器具の発明は、請求項１ないし３いずれか一記載の放電ランプ点灯装置と；この放電ランプ点灯装置を配設している器具本体と；を具備していることを特徴とする。
【００１９】
本発明によれば、請求項１ないし３いずれか一記載の放電ランプ点灯装置を具備する照明器具が提供される。
【発明の効果】
【００２０】
請求項１の発明によれば、ＰＷＭ調光信号に応じてインバータ回路の自励発振が間欠動作されるとともに、ＰＷＭ調光信号を送出したときに、少なくともＰＷＭ調光信号の周期よりも長い所定時間内でインバータ回路が自励発振するので、ＰＷＭ調光信号に応じて冷陰極放電ランプを良好に調光および消灯させることができる。そして、冷陰極放電ランプが点灯していないときに、インバータ回路の自励発振が停止されるので、冷陰極放電ランプの不点時に、冷陰極放電ランプの両端間に高電圧が発生することが防止されて、人に対する電撃を防止することができる。
【００２１】
請求項２の発明によれば、ＰＷＭ調光信号の周期よりも長い所定時間の計時が抵抗およびコンデンサの時定数回路により行われるので、点灯制御回路（放電ランプ点灯装置）を簡易に構成することができる。
【００２２】
請求項３の発明によれば、ＰＷＭ調光信号が冷陰極放電ランプを継続して消灯させる消灯信号であるとき、冷陰極放電ランプの不点に応じてインバータ回路の自励発振を停止させることがリセットされるので、消灯信号から冷陰極放電ランプを点灯させるＰＷＭ調光信号に変更したときに、ＰＷＭ調光信号に応じてインバータ回路を自励発振させることができて、冷陰極放電ランプを点灯させることができる。
【００２３】
請求項４の発明によれば、請求項１ないし３いずれか一記載の放電ランプ点灯装置を具備する照明器具を提供することができる。
【発明を実施するための最良の形態】
【００２４】
以下、本発明の一実施の形態について、図面を参照して説明する。まず、本発明の第１の実施形態について説明する。
【００２５】
図１ないし図３は、本発明の第１の実施形態を示し、図１は放電ランプ点灯装置の回路図、図２は冷陰極放電ランプの点灯における電気波形の変化を示し、（ａ）はコンデンサの両端間電圧の波形図、（ｂ）はランプ電流の波形図、（ｃ）はＰＷＭ調光信号の波形図、図３は冷陰極放電ランプの不点における電気波形の変化を示し、（ａ）はコンデンサの両端間電圧の波形図、（ｂ）はＰＷＭ調光信号の波形図である。
【００２６】
図１において、放電ランプ点灯装置１は、直流電源２、起動回路３、インバータ回路４、冷陰極放電ランプとしての冷陰極蛍光ランプ５、点灯検出回路６、点灯制御回路７を有して構成されている。
【００２７】
直流電源２は、整流器８および整流器８の出力端子間にノイズ防止用のインダクタＬ１を介して接続された平滑用コンデンサＣ１を有してなり、商用交流電源Ｖｓの交流電圧を直流電圧に変換して、この直流電圧を平滑用コンデンサＣ１の両端間に出力する。整流器８の入力側は、ノイズ防止用のコンデンサＣ２およびヒューズＦ１を介して商用交流電源Ｖｓに接続されている。
【００２８】
起動回路３は、平滑用コンデンサＣ１の両端間に接続された抵抗Ｒ１、抵抗Ｒ２および抵抗Ｒ３の直列回路で形成されている。起動回路３は、平滑用コンデンサＣ１の両端間に出力された直流電圧を検出する。
【００２９】
インバータ回路４は、インバータトランスＴ１、インダクタＬ２、共振用コンデンサＣ３、電界効果トランジスタＦＥＴ１および電界効果トランジスタＦＥＴ２を有して構成されている。
【００３０】
インバータトランスＴ１の一次巻線Ｔ１ａの中間点ａは、インダクタＬ２を介して直流電源２の平滑用コンデンサＣ１の正極側に接続され、一次巻線Ｔ１ａの一端および他端は、それぞれ電界効果トランジスタＦＥＴ１および電界効果トランジスタＦＥＴ２を介して平滑用コンデンサＣ１の負極側に接続され、一次巻線Ｔ１ａの一端および他端（両端）の間には、共振用コンデンサＣ３が接続されている。電界効果トランジスタＦＥＴ１および電界効果トランジスタＦＥＴ２のそれぞれのソース側（平滑用コンデンサＣ１の負極側）は、インバータトランスＴ１の二次巻線Ｔ１ｂの他端に接続されている。
【００３１】
そして、電界効果トランジスタＦＥＴ１のゲートは、抵抗Ｒ２および抵抗Ｒ３の中点ｂに接続され、電界効果トランジスタＦＥＴ２のゲートは、インバータトランスＴ１の三次巻線Ｔ１ｃを介して前記中点ｂに接続されている。
【００３２】
インバータ回路４は、平滑用コンデンサＣ１の両端間に出力された直流電源２の直流電圧が入力される。そして、起動回路３の両端間に当該直流電圧が印加され、抵抗Ｒ３の両端間に直流電圧が発生すると、この直流電圧が電界効果トランジスタＦＥＴ１のゲートに直接的に印加され、電界効果トランジスタＦＥＴ２のゲートにインバータトランスＴ１の三次巻線Ｔ１ｃを介して印加される。これにより、電界効果トランジスタＦＥＴ１および電界効果トランジスタＦＥＴ２が交互にオンするようになる。
【００３３】
電界効果トランジスタＦＥＴ１，ＦＥＴ２が交互にオンすると、インダクタＬ２、共振用コンデンサＣ３およびインバータトランスＴ１の一次巻線Ｔ１ａが共振して、平滑用コンデンサＣ１の両端間に出力された直流電圧を所定周波数でチョッピングして高周波電圧に変換する。これにより、インバータトランスＴ１の二次巻線Ｔ１ｂの両端（一端および他端）間に高周波電圧が出力される。このように、インバータ回路４は、起動回路３による前記直流電圧の検出に基づいて電界効果トランジスタＦＥＴ１，ＦＥＴ２が交互にオンすることにより自励発振し、インバータトランスＴ１の二次巻線Ｔ１ｂの両端間に高周波電圧を出力する。
【００３４】
冷陰極蛍光ランプ５は、インバータトランスＴ１の二次巻線Ｔ１ｂの両端間にバラストコンデンサＣ４および点灯検出回路６を介して接続され、電極５ａ，５ｂ間に前記高周波電圧が印加されると点灯する。冷陰極蛍光ランプ５は、例えば定格ランプ電力６Ｗ、ランプ電流０．００７Ａ、全光束３２０ルーメン、平均寿命５００００時間である。図中、冷陰極蛍光ランプ５は、１本接続されているが、直列的に接続されたバラストコンデンサＣ４および冷陰極蛍光ランプ５の複数個をインバータトランスＴ１の二次巻線Ｔ１ｂの両端間に並列接続して、複数灯を点灯させることができる。
【００３５】
点灯検出回路６は、冷陰極蛍光ランプ５の電極５ｂおよびインバータトランスＴ１の二次巻線Ｔ１ｂの他端（平滑用コンデンサＣ１の負極側）の間に接続されている。すなわち、冷陰極蛍光ランプ５の電極５ｂおよび二次巻線Ｔ１ｂの他端間に、カソードを電極５ｂ側にしてダイオードＤ１が接続され、このダイオードＤ１の両端間に、アノードがダイオードＤ１のカソードと接続されているダイオードＤ２と、コンデンサＣ５および抵抗Ｒ４の並列回路が直列的に接続されている。
【００３６】
そして、抵抗Ｒ４の両端間に、ツェナーダイオードＺＤ１と、抵抗Ｒ５およびコンデンサＣ６の並列回路が直列的に接続されている。コンデンサＣ６の両端間には、ＮＰＮ形トランジスタＴｒ１のベースおよびエミッタが接続されている。ここで、ＮＰＮ形トランジスタＴｒ１のエミッタは、平滑用コンデンサＣ１の負極側に接続されている。そして、ＮＰＮ形トランジスタＴｒ１のコレクタは、点灯制御回路７に接続されている。コンデンサＣ５および抵抗Ｒ４の並列回路と、抵抗Ｒ５およびコンデンサＣ６の並列回路は、平均化回路（安定化回路）を形成している。
【００３７】
冷陰極蛍光ランプ５の電極５ａ，５ｂ間に流れるランプ電流は、インバータトランスＴ１の二次巻線Ｔ１ｂの両端間に出力する高周波電圧に応じて、交互にダイオードＤ１、またはダイオードＤ２とコンデンサＣ５および抵抗Ｒ４の並列回路に流れる。そして、コンデンサＣ５の両端間電圧が上昇してツェナーダイオードＺＤ１が導通すると、コンデンサＣ６が充電され、ＮＰＮ形トランジスタＴｒ１がオンする。すなわち、冷陰極蛍光ランプ５が点灯すると、ＮＰＮ形トランジスタＴｒ１がオンして、ＮＰＮ形トランジスタＴｒ１のコレクタ側が平滑用コンデンサＣ１の負極側に接続される。一方、冷陰極蛍光ランプ５が点灯していないと、ＮＰＮ形トランジスタＴｒ１がオンせず、ＮＰＮ形トランジスタＴｒ１のコレクタ側が平滑用コンデンサＣ１の負極側に接続されない。このようにして、点灯検出回路６は、冷陰極蛍光ランプ５の点灯（不点）を検出する。
【００３８】
点灯制御回路７は、起動回路３の抵抗Ｒ１および抵抗Ｒ２の接続点ｃと、平滑用コンデンサＣ１の負極側との間に接続された逆流防止用のダイオードＤ３および電界効果トランジスタＦＥＴ３の直列回路と、時定数回路９を有して構成されている。時定数回路９は、平滑用コンデンサＣ１の両端間に直列的に接続された抵抗Ｒ６、ツェナーダイオードＺＤ２および平滑用コンデンサＣ７と、平滑用コンデンサＣ７に並列接続された抵抗Ｒ７により形成されている。
【００３９】
そして、平滑用コンデンサＣ７の正極側が逆流防止用のダイオードＤ４を介して電界効果トランジスタＦＥＴ３のゲートに接続されるようにして、平滑用コンデンサＣ７が電界効果トランジスタＦＥＴ３のゲート、ソース間に接続されている。また、点灯検出回路６のＮＰＮ形トランジスタＴｒ１のコレクタが平滑用コンデンサＣ７の正極側に接続され、ダイオードＤ４を介して電界効果トランジスタＦＥＴ３のゲートに接続されている。電界効果トランジスタＦＥＴ３のゲート、ソース間には、ゲート抵抗Ｒ８が接続されている。
【００４０】
点灯検出回路６が冷陰極蛍光ランプ５の点灯を検出していないと、ＮＰＮ形トランジスタＴｒ１はオフするので、時定数回路９の平滑用コンデンサＣ７は、直流電源２（平滑用コンデンサＣ１）からの電流により充電される。そして、点灯検出回路６が冷陰極蛍光ランプ５の点灯を検出していると、ＮＰＮ形トランジスタＴｒ１はオンするので、平滑用コンデンサＣ７の両端間が短絡され、平滑用コンデンサＣ７は放電される。すなわち、平滑用コンデンサＣ７は、冷陰極蛍光ランプ５の不点時に直流電源２からの電流により充電され、冷陰極蛍光ランプ５の点灯時に放電される。
【００４１】
そして、平滑用コンデンサＣ７は、充電開始後、抵抗Ｒ６および平滑用コンデンサＣ７の時定数で決定される所定時間を要して、両端間電圧が所定電圧（例えば４Ｖ）に上昇するように設定されている。ここで、前記所定時間が後述のＰＷＭ調光信号の周期よりも長くなるように、前記時定数が設定されている。平滑用コンデンサＣ７の両端間電圧は、冷陰極蛍光ランプ５の不点時に、ダイオードＤ４を介して電界効果トランジスタＦＥＴ３のゲート、ソース間に印加されている。そして、平滑用コンデンサＣ７の両端間電圧が所定電圧以上に上昇すると、電界効果トランジスタＦＥＴ３がオンする。
【００４２】
また、電界効果トランジスタＦＥＴ３のゲート、ソース間には、調光信号入力回路１０が接続されている。調光信号入力回路１０は、入力端子に外部の調光装置１１からＰＷＭ調光信号が入力される整流器１２、整流器１２の出力端子間に接続された抵抗Ｒ９を有して構成されている。そして、正極側の出力端子が逆流防止用のダイオードＤ５を介して電界効果トランジスタＦＥＴ３のゲートに接続されるようにして、整流器１２の出力端子間が電界効果トランジスタＦＥＴ３のゲート、ソース間に接続されている。
【００４３】
調光装置１１から出力されたＰＷＭ調光信号は、例えば１００Ｈｚの周波数であり、調光信号入力回路１０を介して電界効果トランジスタＦＥＴ３のゲート、ソース間に入力される。そして、電界効果トランジスタＦＥＴ３は、ＰＷＭ調光信号のオン信号のときにオンし、ＰＷＭ調光信号のオフ信号のときにオフする。
【００４４】
電界効果トランジスタＦＥＴ３がオフしていると、直流電源２の平滑用コンデンサＣ１の両端間電圧（直流電源２の直流電圧）が起動回路３の両端間に印加され、抵抗Ｒ３の両端間に直流電圧が発生する。すなわち、点灯制御回路７は、起動回路３による直流電源２から出力された直流電圧の検出を有効化させる。そして、抵抗Ｒ３の両端間に発生した直流電圧が電界効果トランジスタＦＥＴ１，ＦＥＴ２のそれぞれのゲート、ソース間に印加され、電界効果トランジスタＦＥＴ１，ＦＥＴ２が交互にオンオフ動作することにより、インバータ回路４が自励発振する。そして、インバータトランスＴ１の二次巻線Ｔ１ｂの両端間に高周波電圧が出力され、この高周波電圧により冷陰極蛍光ランプ５が点灯する。
【００４５】
また、電界効果トランジスタＦＥＴ３がオンしていると、起動回路３の抵抗Ｒ２および抵抗Ｒ３間が短絡され、抵抗Ｒ３の両端間に直流電圧が発生しなくなる。すなわち、点灯制御回路７は、起動回路３による直流電源２から出力された直流電圧の検出を無効化させる。そして、電界効果トランジスタＦＥＴ１，ＦＥＴ２がオンオフ動作しなくなることにより、インバータ回路４は自励発振しなくなる。そして、インバータトランスＴ１の二次巻線Ｔ１ｂの両端間に高周波電圧が出力されなくなるので、冷陰極蛍光ランプ５は消灯する。
【００４６】
こうして、点灯制御回路７は、ＰＷＭ調光信号のオンオフ信号に応じて起動回路３による直流電源２から出力された直流電圧の検出を有効化および無効化してインバータ回路４の自励発振を間欠動作させる。そして、当該自励発振の間欠期間が大きくなるにしたがい、冷陰極蛍光ランプ５は、深く調光される。また、ＰＷＭ調光信号がオフ信号のみのとき、冷陰極蛍光ランプ５は、全光点灯する。
【００４７】
そして、インバータ回路４が自励発振しても、冷陰極蛍光ランプ５が点灯しないと、点灯検出回路６のＮＰＮ形トランジスタＴｒ１がオフするので、時定数回路９の平滑用コンデンサＣ７は、直流電源２からの電流により充電されるようになる。平滑用コンデンサＣ７の両端間電圧が所定電圧以上になると、電界効果トランジスタＦＥＴ３がオンして、インバータ回路４の自励発振が停止される。
【００４８】
このように、点灯制御回路７は、インバータ回路４が自励発振してから平滑用コンデンサＣ７の両端間電圧が所定電圧以上になったときに、起動回路３による直流電源２から出力された直流電圧の検出を無効化して、インバータ回路４の自励発振を停止させる。すなわち、インバータ回路４が自励発振してから所定時間が経過するまでは、ＰＷＭ調光信号のオンオフ信号に応じてインバータ回路４の自励発振を間欠動作させるが、所定時間の経過前に、点灯検出回路６が冷陰極放電ランプ５の点灯を検出していないときには、起動回路３による前記直流電圧の検出を無効化してインバータ回路４の自励発振を停止させるように構成されている。
【００４９】
そして、調光信号入力回路１０には、リセット回路１３が形成されている。リセット回路１３は、整流器１２の出力端子間に接続された抵抗Ｒ１０およびコンデンサＣ８の直列回路と、抵抗Ｒ１０に並列接続された放電経路用のダイオードＤ６と、コンデンサＣ８の正極側および点灯検出回路６のＮＰＮ形トランジスタＴｒ１のベース間に接続された逆流防止用のダイオードＤ７を有して形成されている。抵抗Ｒ１０およびコンデンサＣ８の直列回路は、時定数回路に形成されている。リセット回路１３は、コンデンサＣ８の両端間電圧（充電電圧）をＮＰＮ形トランジスタＴｒ１のベース、エミッタ間に印加してＮＰＮ形トランジスタＴｒ１をオンさせる。
【００５０】
コンデンサＣ８は、ＰＷＭ調光信号のオン信号のときに充電され、ＰＷＭ調光信号のオフ信号のときにダイオードＤ６および抵抗Ｒ９の経路で放電される。すなわち、ＰＷＭ調光信号が冷陰極蛍光ランプ５を調光点灯させるオンオフ信号であるときは、コンデンサＣ８の両端間電圧がＮＰＮ形トランジスタＴｒ１のベース、エミッタ間に印加されても、ＮＰＮ形トランジスタＴｒ１はオンしない。
【００５１】
そして、ＰＷＭ調光信号がオン信号のみからなり、冷陰極蛍光ランプ５を継続して消灯させる消灯信号であるとき、コンデンサＣ８はフル充電され、その両端間電圧によりＮＰＮ形トランジスタＴｒ１がオンする。ＮＰＮ形トランジスタＴｒ１がオンすると、時定数回路９の平滑用コンデンサＣ７は放電される。これにより、点灯制御回路７において、インバータ回路４が自励発振してから平滑用コンデンサＣ７の両端間電圧が所定電圧以上になったときに、あるいは、インバータ回路４が自励発振してから所定時間が経過する前に点灯検出回路６が冷陰極放電ランプ５の点灯を検出していないときに、起動回路３による直流電源２から出力された直流電圧の検出を無効化してインバータ回路４の自励発振を停止させることがリセットされる。
【００５２】
次に、本発明の第１の実施形態の作用について述べる。
【００５３】
図２（ｃ）に示す周波数１００ＨｚのＰＷＭ調光信号のオンオフ信号が外部の調光装置１１から調光信号入力回路１０に入力されて、直流電源２が投入されると、直流電源２から出力された直流電圧が起動回路３により検出される。インバータ回路４は、起動回路３による前記直流電圧の検出に基づいて電界効果トランジスタＦＥＴ１，ＦＥＴ２が交互にオンオフ動作することにより自励発振し、インバータトランスＴ１の二次巻線Ｔ１ｂの両端間に高周波電圧を出力する。これにより、冷陰極蛍光ランプ５が点灯する。
【００５４】
そして、点灯制御回路７の電界効果トランジスタＦＥＴ３がＰＷＭ調光信号のオンオフ信号に応じてオンオフすることにより、インバータ回路４の自励発振が間欠動作される。すなわち、ＰＷＭ調光信号がオフ信号のときに、電界効果トランジスタＦＥＴ３がオフし、起動回路３による前記直流電圧の検出が有効化されて、インバータ回路４が自励発振する。そして、ＰＷＭ調光信号がオン信号のときに、電界効果トランジスタＦＥＴ３がオンし、起動回路３による前記直流電圧の検出が無効化されて、インバータ回路４の自励発振が停止する。
【００５５】
そして、冷陰極蛍光ランプ５の電極５ａ，５ｂ間に、図２（ｂ）に示すように、前記自励発振しているときにランプ電流（高周波電流）が流れ、前記自励発振が停止しているときにランプ電流が流れなくなる。こうして、冷陰極蛍光ランプ５は、ＰＷＭ調光信号のオンオフ信号に応じて調光される。そして、ＰＷＭ調光信号のオン信号のデューテイ（オン期間）が大きくなるにしたがい、電極５ａ，５ｂ間に流れるランプ電流の間欠期間が長くなり、深く調光される。
【００５６】
直流電源２が投入された直後、または、冷陰極蛍光ランプ５が消灯しているとき、あるいは冷陰極蛍光ランプ５が点灯した直後は、点灯検出回路６のＮＰＮ形トランジスタＴｒ１はオフしているので、時定数回路９の平滑用コンデンサＣ７は、直流電源２からの電流により充電され、その両端間電圧が上昇していく。そして、平滑用コンデンサＣ７の両端間電圧が所定電圧（４Ｖ）になる前に、点灯検出回路６が冷陰極蛍光ランプ５の点灯を検出してＮＰＮ形トランジスタＴｒ１がオンすると、図２（ａ）に示すように、平滑用コンデンサＣ７は放電される。なお、図２（ａ）において、平滑用コンデンサＣ７の充放電期間がＰＷＭ調光信号のオンオフ信号と同期していないのは、コンデンサＣ５および抵抗Ｒ４の並列回路と、抵抗Ｒ５およびコンデンサＣ６の並列回路において、それらの両端間電圧を安定化させていることによる。
【００５７】
平滑用コンデンサＣ７は、充電開始後、所定電圧（４Ｖ）に充電される所定時間がＰＷＭ調光信号の周期（１０ｍｓ）よりも長くなるように、時定数回路９の時定数が設定され、例えば２５ｍｓとなるように設定されている。この所定時間に経過するまでは、ＰＷＭ調光信号のオンオフ信号に応じて電界効果トランジスタＦＥＴ３がオンオフされる。すなわち、少なくとも前記所定時間内において、点灯検出回路６が冷陰極蛍光ランプの点灯を検出していない（不点を検出している）ことにより、電界効果トランジスタＦＥＴ３をオンさせてインバータ回路４を自励発振させなくすることを防止でき、ＰＷＭ調光信号により冷陰極蛍光ランプ５を点灯または再点灯させることができる。
【００５８】
そして、ＰＷＭ調光信号のオンオフ信号に応じてインバータ回路４が自励発振した後、点灯検出回路６が冷陰極蛍光ランプ５の点灯を検出せず、ＮＰＮ形トランジスタＴｒ１がオフしていると、図３（ａ）に示すように、平滑用コンデンサＣ７の両端間電圧は上昇していく。そして、平滑用コンデンサＣ７の両端間電圧は、インバータ回路４が自励発振してから所定時間（２５ｍｓ）の経過後に所定電圧（４Ｖ）になる。この所定電圧が電界効果トランジスタＦＥＴ３のゲート、ソース間に印加され、電界効果トランジスタＦＥＴ３はオンする。これにより、起動回路３の抵抗Ｒ３の両端間に直流電圧が発生しなくなって、インバータ回路４の自励発振が停止する。
【００５９】
このように、インバータ回路４を自励発振させた後、平滑用コンデンサＣ７の両端間電圧が所定電圧（４Ｖ）に上昇するまでに（所定時間（２５ｍｓ）が経過するまでに）、冷陰極蛍光ランプ５が点灯していないと、点灯制御回路７により、インバータ回路４の自励発振が停止される。したがって、冷陰極蛍光ランプ５の不点時に、冷陰極蛍光ランプ５の電極５ａ，５ｂ間に継続的に高電圧が発生することが防止され、冷陰極蛍光ランプ５での人に対する電撃を防止することができる。
【００６０】
そして、平滑用コンデンサＣ７の両端間電圧が所定電圧（４Ｖ）に上昇するまでの所定時間（２５ｍｓ）が時定数回路９により設定されるので、点灯制御回路７内にタイマ回路やＣＰＵ（中央処理装置）などを設ける必要がなく、点灯制御回路７が簡易に、かつ安価に形成される。
【００６１】
そして、外部の調光装置１１から調光信号入力回路１０に、ＰＷＭ調光信号がオン信号のみからなり冷陰極蛍光ランプ５を継続して消灯させる消灯信号が入力されると、この消灯信号により、点灯制御回路７の電界効果トランジスタＦＥＴ３は、オンされる。そして、インバータ回路４は、自励発振が継続して停止され、冷陰極蛍光ランプ５は、継続的に消灯する。
【００６２】
冷陰極蛍光ランプ５が消灯していると、点灯検出回路６は、冷陰極蛍光ランプ５の点灯を検出しなくなり、ＮＰＮ形トランジスタＴｒ１をオフさせる。このとき、調光信号入力回路１０内に形成されたリセット回路１３のコンデンサＣ８の両端間電圧がＮＰＮ形トランジスタＴｒ１のベース、エミッタ間に印加され、ＮＰＮ形トランジスタＴｒ１がオンする。
【００６３】
ＮＰＮ形トランジスタＴｒ１がオンすると、時定数回路９の平滑用コンデンサＣ７は放電され、点灯制御回路７の電界効果トランジスタＦＥＴ３は、ＰＷＭ調光信号の消灯信号のみによってオンされる。
【００６４】
そして、ＰＷＭ調光信号を消灯信号から冷陰極蛍光ランプ５を点灯させるオンオフ信号に変更すると、このオンオフ信号に応じて、電界効果トランジスタＦＥＴ３がオンオフし、インバータ回路４の自励発振が間欠動作される。冷陰極蛍光ランプ５は、当該自励発振の間欠動作に応じて、調光点灯される。
【００６５】
そして、リセット回路１３のコンデンサＣ８は、ＰＷＭ調光信号のオフ信号のときに放電される。これにより、ＮＰＮ形トランジスタＴｒ１はオフする。そして、点灯検出回路６は、冷陰極蛍光ランプ５の点灯を検出するように動作する。
【００６６】
このように、リセット回路１３は、冷陰極蛍光ランプ５の不点時に、点灯検出回路６のＮＰＮ形トランジスタＴｒ１をオンさせて、時定数回路９の平滑用コンデンサＣ７を放電させ、インバータ回路４の自励発振を停止させることをリセットする。これにより、ＰＷＭ調光信号が冷陰極蛍光ランプ５を継続して消灯させる消灯信号から冷陰極蛍光ランプ５を調光点灯させるオンオフ信号に変更されたときに、ＰＷＭ調光信号のオンオフ信号に応じてインバータ回路４の自励発振を間欠動作させることができて、冷陰極蛍光ランプ５を調光点灯させることができる。
【００６７】
上述したように、放電ランプ点灯装置１は、外部の調光装置１１から入力されるＰＷＭ調光信号に応じて冷陰極蛍光ランプ５を良好に調光および消灯させることができる。
【００６８】
次に、本発明の第２の実施形態について説明する。
【００６９】
図４は、本発明の第２の実施形態を示す放電ランプ点灯装置の回路図である。なお、図１と同一部分には同一符号を付して説明は省略する。
【００７０】
図４に示す放電ランプ点灯装置１４は、図１に示す放電ランプ点灯装置１において、調光信号入力回路１０のリセット回路１３が除去されて構成されている。調光信号入力回路１０には、外部の調光装置１１から冷陰極蛍光ランプ５を調光点灯させるＰＷＭ調光信号のオンオフ信号が入力され、冷陰極蛍光ランプ５を継続して消灯させる消灯信号が入力されない。
【００７１】
放電ランプ点灯装置１４は、外部の調光装置１１から入力されるＰＷＭ調光信号に応じて冷陰極蛍光ランプ５を良好に調光点灯させる。
【００７２】
次に、本発明の第３の実施形態について説明する。
【００７３】
図５は、本発明の第３の実施形態を示す照明器具の概略断面図である。なお、図１と同一部分には同一符号を付して説明は省略する。
【００７４】
図５に示す照明器具１５は、天井などの造営物に設置される直付け照明器具であり、箱状の器具本体１６が造営物に取り付けられている。器具本体１６は、下端部分に内方に延びるフランジ部１６ａが形成され、このフランジ部１６ａによって囲まれる開口に、透光性のカバー１７が着脱自在に装着されている。
【００７５】
器具本体１６の内部には、湾曲する第１および第２の湾曲部１８ａ，１８ｂを有する反射板１８がそれぞれの端部をフランジ部１６ａに載置させるようにして配置されている。また、器具本体１６の内面と反射板１８との空間の中央部分に、放電ランプ用点灯装置１９が配設されている。放電ランプ用点灯装置１９は、図１に示す放電ランプ点灯装置１において、冷陰極蛍光ランプ５が除去されたものである。冷陰極蛍光ランプ５，５は、反射板１８にベースキャップ２０，２０が固定され、反射板１８の内面に対向している。
【００７６】
照明器具１５は、図１に示す放電ランプ点灯装置１を配設しているので、外部の調光装置１１からのＰＷＭ調光信号に応じて、冷陰極蛍光ランプ５，５を調光点灯または消灯させることができる。そして、冷陰極蛍光ランプ５，５の平均寿命が５００００時間であるので、ランプ交換のメンテナンス作業を省力化することができる。
【図面の簡単な説明】
【００７７】
【図１】本発明の第１の実施形態を示す放電ランプ点灯装置の回路図。
【図２】同じく、冷陰極放電ランプの点灯における電気波形の変化を示し、（ａ）はコンデンサの両端間電圧の波形図、（ｂ）はランプ電流の波形図、（ｃ）はＰＷＭ調光信号の波形図。
【図３】同じく、冷陰極放電ランプの不点における電気波形の変化を示し、（ａ）はコンデンサの両端間電圧の波形図、（ｂ）はＰＷＭ調光信号の波形図。
【図４】本発明の第２の実施形態を示す放電ランプ点灯装置の回路図。
【図５】本発明の第３の実施形態を示す照明器具の概略断面図。
【符号の説明】
【００７８】
１，１４…放電ランプ点灯装置
２…直流電源
４…インバータ回路
５…冷陰極放電ランプとしての冷陰極蛍光ランプ
６…点灯検出回路
７…点灯制御回路
９…時定数回路
１５…照明器具
１６…器具本体
【図１】
2007066628.tif 000003
【図２】
2007066628.tif 000004
【図３】
2007066628.tif 000005
【図４】
2007066628.tif 000006
【図５】
2007066628.tif 000007